(57)【要約】【解決手段】２つのシステムからデータとページングを受信する２つの受信機を動作させる技術が記述される。プライマリ受信機は、貧弱なＲＦ条件において、セカンダリ受信機よりも良好な性能が関係付けられている。これら２つの受信機は、プライマリ受信機が、ページングを受信するために使用されるハイブリッドモードか、セカンダリ受信機が、ページングを受信するために使用される同時モードかの何れかで動作する。これらモードのうちの１つは、ＲＦ条件、受信電力、復調数的指標、及び／又はその他の判定基準に基づいて、使用のために選択されうる。１つの設計では、モードは、受信電力と、１又は複数の閾値に基づいて選択される。別の設計では、ハイブリッドモードは、貧弱なＲＦ条件について選択され、良好なＲＦ条件については、受信電力に基づいてハイブリッドモード又は同時モードが選択される。【選択図】      図４
2008545295.tif 000002
【特許請求の範囲】
【請求項１】
第１の通信システムの無線周波数（ＲＦ）条件を判定し、少なくとも、前記第１の通信システムのＲＦ条件に基づいて、第１及び第２の受信機の動作を制御し、前記第１の通信システム及び第２の通信システムを受信するように構成された少なくとも１つのプロセッサと、
前記少なくとも１つのプロセッサに接続されたメモリと
を備える装置。
【請求項２】
前記第１及び第２の受信機は、前記第１のシステムからページングを受信し、前記第２のシステムからデータを受信するように構成された請求項１に記載の装置。
【請求項３】
前記少なくとも１つのプロセッサは、前記第１のシステムの受信電力を判定し、更に前記第１のシステムの受信電力に基づいて、前記第１及び第２の受信機の動作を制御するように構成された請求項１に記載の装置。
【請求項４】
前記少なくとも１つのプロセッサは、前記第１のシステムの少なくとも１つの復調数的指標を判定し、更に前記少なくとも１つの復調数的指標に基づいて、前記第１及び第２の受信機の動作を制御するように構成された請求項１に記載の装置。
【請求項５】
前記少なくとも１つのプロセッサは、前記第２の通信システムの少なくとも１つの数的指標を判定し、更に前記第２の通信システムの少なくとも１つの数的指標に基づいて、前記第１及び第２の受信機の動作を制御するように構成された請求項１に記載の装置。
【請求項６】
前記少なくとも１つのプロセッサは、前記第１の受信機が、指定された時間間隔の間、前記第１のシステムを受信するために使用される第１のモードと、前記第２の受信機が、前記指定された時間間隔の間、前記第１のシステムを受信するために使用される第２のモードとからなる多数のモードのうちの１つを選択するように構成され、
前記第１の受信機は前記第２の受信機よりも良好な性能が関係付けられている請求項１に記載の装置。
【請求項７】
前記少なくとも１つのプロセッサは、貧弱なＲＦ条件の場合に前記第１のモードを選択するように構成された請求項６に記載の装置。
【請求項８】
前記少なくとも１つのプロセッサは、前記第１のシステムの受信電力を判定し、貧弱なＲＦ条件の場合に前記第１のモードを選択し、良好なＲＦ条件の場合、前記受信電力に基づいて、前記第１のモード又は前記第２のモードを選択するように構成された請求項６に記載の装置。
【請求項９】
良好なＲＦ条件の場合、前記少なくとも１つのプロセッサは、前記受信電力が第１の閾値未満であれば前記第１のモードを選択し、前記受信電力が、前記第１の閾値よりも高い第２の閾値を越えるのであれば前記第２モードを選択するように構成された請求項８に記載の装置。
【請求項１０】
前記少なくとも１つのプロセッサは、前記第１のシステムの少なくとも１つの復調数的指標を判定し、更に前記少なくとも１つの復調数的指標に基づいて、多数のモードのうちの１つを選択するように構成された請求項６に記載の装置。
【請求項１１】
前記少なくとも１つのプロセッサは、前記少なくとも１つの復調数的指標が満足されない場合に前記第１のモードを選択するように構成された請求項１０に記載の装置。
【請求項１２】
前記少なくとも１つのプロセッサは、予め定めた時間期間内で前記少なくとも１つの復調数的指標が満足されない場合、前記第１のモードにとどまるように構成された請求項１０に記載の装置。
【請求項１３】
前記少なくとも１つの復調数的指標は、ビット当たりのエネルギ対雑音比（Ｅｂ／Ｎｔ）、フレームエネルギ、シンボル誤り率、巡回冗長検査（ＣＲＣ）、又はそれらの組み合せを備える請求項１０に記載の装置。
【請求項１４】
前記少なくとも１つのプロセッサは、前記第２のモードから前記第１のモードへの遷移後、少なくとも予め定めた時間期間、前記第１のモードにとどまるように構成された請求項６に記載の装置。
【請求項１５】
前記少なくとも１つのプロセッサは、ＲＦ入力信号における大きな望まれない信号を検出し、もしも検出されれば、前記ＲＦ入力信号において検出された大きな望まれない信号に基づいて、前記第１の通信システムの前記ＲＦ条件を判定するように構成された請求項１に記載の装置。
【請求項１６】
前記少なくとも１つのプロセッサは、前記第２の通信システムのＲＦ測定値に基づいて、前記第２の通信システムのＲＦ条件を判定し、前記第１及び第２の通信システムが同じ帯域クラスにあれば、前記第２の通信システムのＲＦ条件を、前記第１の通信システムのＲＦ条件として用いるように構成された請求項１に記載の装置。
【請求項１７】
前記第１の受信機は、貧弱なＲＦ条件の場合、第２の受信機よりも良好な性能を有する請求項１に記載の装置。
【請求項１８】
前記第１の受信機と第２の受信機はそれぞれ、第１のアンテナと第２のアンテナにそれぞれ接続され、前記第１のアンテナは、前記第２のアンテナよりも高い利得を持つ請求項１に記載の装置。
【請求項１９】
前記第１のシステムはＣＤＭＡ２０００  １Ｘシステムであり、前記第２のシステムはＣＤＭＡ２０００  １ｘＥＶ−ＤＯシステムである請求項１に記載の装置。
【請求項２０】
第１の通信システムの無線周波数（ＲＦ）条件を判定することと、
前記第１の通信システムからページングを受信し、第２の通信システムからデータを受信するために、少なくとも、前記第１のシステムのＲＦ条件に基づいて、第１の受信機と第２の受信機との動作を制御することと
を備える方法。
【請求項２１】
前記第１の受信機と第２の受信機との動作を制御することは、
前記第１の受信機が、指定された時間間隔の間、前記第１のシステムを受信するために使用される第１のモードと、前記第２の受信機が、前記指定された時間間隔の間、前記第１のシステムを受信するために使用される第２のモードとからなる多数のモードのうちの１つを選択することを備え、
前記第１の受信機は前記第２の受信機よりも良好な性能が関係付けられている請求項２０に記載の方法。
【請求項２２】
多数のモードのうちの１つを選択することは、貧弱なＲＦ条件の場合に前記第１のモードを選択することと、
良好なＲＦ条件の場合、前記第１のシステムの受信電力に基づいて、前記第１のモード又は前記第２のモードを選択することと
を備える請求項２１に記載の方法。
【請求項２３】
前記第１のシステムのＲＦ条件を判定することは、
ＲＦ入力信号における大きな望まれない信号を検出することと、
もしも検出されれば、前記ＲＦ入力信号において検出された大きな望まれない信号に基づいて、前記第１のシステムの前記ＲＦ条件を判定することと
を備える請求項２０に記載の方法。
【請求項２４】
第１の通信システムの無線周波数（ＲＦ）条件を判定する手段と、
前記第１の通信システムからページングを受信し、第２の通信システムからデータを受信するために、少なくとも、前記第１のシステムのＲＦ条件に基づいて、第１の受信機と第２の受信機との動作を制御する手段と
を備える装置。
【請求項２５】
前記第１の受信機と第２の受信機との動作を制御する手段は、
前記第１の受信機が、指定された時間間隔の間、前記第１のシステムを受信するために使用される第１のモードと、前記第２の受信機が、前記指定された時間間隔の間、前記第１のシステムを受信するために使用される第２のモードとからなる多数のモードのうちの１つを選択する手段を備え、
前記第１の受信機は、前記第２の受信機よりも良好な性能が関係付けられている請求項２４に記載の装置。
【請求項２６】
多数のモードのうちの１つを選択する手段は、
貧弱なＲＦ条件の場合に前記第１のモードを選択する手段と、
良好なＲＦ条件の場合、前記第１のシステムの受信電力に基づいて、前記第１のモード又は前記第２のモードを選択する手段と
を備える請求項２５に記載の装置。
【請求項２７】
前記第１のシステムのＲＦ条件を判定する手段は、
ＲＦ入力信号における大きな望まれない信号を検出する手段と、
もしも検出されれば、前記ＲＦ入力信号において検出された大きな望まれない信号に基づいて、前記第１のシステムの前記ＲＦ条件を判定する手段と
を備える請求項２４に記載の装置。
【請求項２８】
第１の通信システムの無線周波数（ＲＦ）条件を判定し、
前記第１の通信システムからページングを受信し、かつ、第２の通信システムからデータを受信するために、少なくとも、前記第１のシステムのＲＦ条件に基づいて、第１の受信機と第２の受信機との動作を制御する
ように、端末において実施可能な命令を格納するプロセッサ読取可能媒体。
【請求項２９】
前記第１の受信機が、指定された時間間隔の間、前記第１のシステムを受信するために使用される第１のモードと、前記第２の受信機が、前記指定された時間間隔の間、前記第１のシステムを受信するために使用される第２のモードとからなる多数のモードのうちの１つを選択するように実施可能な命令を更に格納し、
前記第１の受信機は、前記第２の受信機よりも良好な性能が関係付けられている請求項２８に記載のプロセッサ読取可能媒体。
【請求項３０】
第１の通信システムの受信電力を判定し、少なくとも、前記第１の通信システムの前記受信電力に基づいて、第１及び第２の受信機の動作を制御し、前記第１の通信システムからページングを、第２の通信システムからデータを受信するように構成された少なくとも１つのプロセッサと、
前記少なくとも１つのプロセッサに接続されたメモリと
を備える装置。
【請求項３１】
前記少なくとも１つのプロセッサは、前記第１の受信機が、指定されたページングスロットの間、前記第１のシステムからのページングを受信するために使用される第１のモードと、前記第２の受信機が、前記指定されたページングスロットの間、前記第１のシステムからのページングを受信するために使用される第２のモードとからなる多数のモードのうちの１つを選択するように構成され、
前記第１の受信機は、前記第２の受信機よりも良好な性能が関係付けられている請求項３０に記載の装置。
【請求項３２】
前記少なくとも１つのプロセッサは、前記受信電力が第１の閾値を越える場合に、前記第１のモードから前記第２のモードへ遷移し、前記受信電力が前記第１の閾値よりも低い第２の閾値未満である場合に、前記第２のモードから前記第１のモードへ遷移するように構成された請求項３１に記載の装置。
【発明の詳細な説明】
【技術分野】
【０００１】
本開示は、一般に、通信に関し、特に、多数の無線通信システムからのページング及びデータの受信のための技術に関する。
【０００２】
（３５のＵ．Ｓ．Ｃ．§１１９の下の優先権主張）
本出願は、２００５年５月１２日に出願され、本出願の譲受人に譲渡され、本明細書で参照によって組み込まれている"Switching algorithm between simultaneous and hybrid mode for HDR traffic and 1x paging"と題された仮出願番号６０／６８０，８５３番の優先権を主張する。
【背景技術】
【０００３】
無線通信システムは、音声、パケットデータ、ビデオ、ブロードキャスト、メッセージ等のような様々な通信サービスを提供するために広く展開されている。これらシステムは、利用可能なシステムリソースを共有することにより、多数のユーザのための通信をサポートできる多元接続システムでありうる。そのような多元接続システムの例は、符号分割多元接続（ＣＤＭＡ）システム、時分割多元接続（ＴＤＭＡ）システム、及び周波数分割多元接続（ＦＤＭＡ）システムを含む。ＣＤＭＡシステムは、ｃｄｍａ２０００又は広帯域ＣＤＭＡ（Ｗ−ＣＤＭＡ）のようなラジオ技術を実施しうる。ｃｄｍａ２０００は、ＩＳ−２０００規格、ＩＳ−９５規格、及びＩＳ−８５６規格をカバーする。ＴＤＭＡシステムは、グローバル移動体通信システム（ＧＳＭ）のようなラジオ技術を実施しうる。これら様々なラジオ技術及び規格は、当該技術で周知である。
【０００４】
幾つかの無線通信システムは、音声サービスとパケットデータサービスとを提供することができる。そのような１つのシステムは、ＩＳ−２０００及び／又はＩＳ−９５を実施するＣＤＭＡ２０００  １Ｘシステム（又は、単に１Ｘシステム）である。音声サービス及びパケットデータサービスは、異なる特性及び要件を持つ。例えば、音声サービスは一般に、全てのユーザのために共通のサービスグレード（ＧｏＳ：grade of service）を要求し、更に、比較的厳格な遅延要求を課する。対照的に、パケットデータサービスは、異なるユーザ及び可変遅延のために異なるＧｏＳを許容しうる。音声サービスとパケットデータサービスとの両方をサポートするために、１Ｘシステムは、第１に、音声ユーザにシステムリソースを割り当て、次に、長い遅延を許容することが可能なパケットデータユーザに、残りのシステムリソースを割り当てる。
【０００５】
幾つかの無線通信システムは、パケットデータサービスのために最適化される。そのような１つのシステムは、ＩＳ−８５６を実施するＣＤＭＡ２０００  １ｘＥＶ−ＤＯシステム（単に１ｘＥＶ−ＤＯシステム）である。パケットデータセッションは、一般に、長い静寂期間と、突発的なトラフィックバーストとを持っている。１ｘＥＶ−ＤＯシステムは、所定の任意の瞬間において、システムリソースの殆ど又は全てを１人のユーザに割り当て、もって、サービス提供されるユーザのためのピークデータレートを大幅に増加させる。
【０００６】
サービスプロバイダ／ネットワークオペレータは、その加入者に高度なサービスを提供するために、多数の無線通信システムを展開しうる。例えば、サービスプロバイダは、大規模な地理的領域に音声サービスとパケットデータサービスとを提供するために、１Ｘシステムを展開させるかもしれないし、パケットデータ利用が高いと予想される領域にパケットデータサービスを提供するために、１ｘＥＶ−ＤＯシステムを展開させるかもしれない。一般に、２つのシステムの有効範囲領域は、オーバーラップする。
【０００７】
ハイブリッド端末は、１Ｘシステムと１ｘＥＶ−ＤＯシステムとの両方と通信することができる。端末は、端末の機能、所望のサービス、及び、端末がこれらシステムの有効範囲領域内にあるかに依存して、任意の所定の瞬間において、１つのシステム又は両方のシステムからサービスを受け取る。一般的な動作シナリオでは、端末は、１Ｘシステムに登録し、ページ又は他のメッセージのためにこのシステムをモニタする。端末はまた、パケットデータサービスを得るために、１ｘＥＶ−ＤＯシステムとのデータセッションを確立しうる。このシナリオの場合、到来するページを見失わないように、１Ｘシステムをモニタしている間、１ｘＥＶ−ＤＯシステムのために良好な性能（例えば、高いスループット）を達成することが望ましい。
【０００８】
従って、多数の通信システムからのページング及びデータの受信のための技術に対するニーズが、当該技術において存在する。
【発明の開示】
【０００９】
全てのシステムのために良好な性能を達成するように、端末において多数（例えば２つ）の受信機を操作し、多数（例えば２つ）のシステムからのページング及びデータを受信する技術が、本明細書で説明される。第１のプライマリ受信機は、例えば、大振幅の望まれない信号や妨害がＲＦ入力信号に存在するような貧弱なラジオ周波数（ＲＦ）条件では、第２のセカンダリ受信機よりも良好な性能が関連付けられる。これら２つの受信機は、多数のモードのうちの１つで動作しうる。例えば、第１のハイブリッドモードでは、第１の受信機は、（例えば、１Ｘのために割り当てられたページングスロット）のような指定された時間期間中、第１のシステムを受信するために使用される。第２の同時モードでは、第２の受信機は、指定された時間期間中、第１のシステムを受信するために使用される。両モードでは、第１の受信機と第２の受信機とは、第１のシステムを受信するために使用されていない場合、第２のシステムを受信するために使用される。これらモードのうちの一方は、ＲＦ条件、受信電力、復調数的指標、及び／又は他の基準に基づいて、使用のために選択されうる。
【００１０】
実施形態では、端末は、第１のシステムのためのＲＦ条件、受信電力、及び／又は、１又は複数の復調数的指標を判定する。その後端末は、第１のシステムのためのＲＦ条件、受信電力、及び／又は、復調数的指標に基づいて、第１及び第２の受信機の動作を制御する。実施形態では、受信電力と、１又は複数の閾値とに基づいて、モードが選択される。例えば、低受信電力に対しては第１のモードが選択され、高受信電力に対しては第２のモードが選択される。ここで、低受信電力及び高受信電力は、閾値によって判定される。別の実施形態では、ＲＦ条件及び受信電力に基づいてモードが選択される。例えば、第１のモードは、貧弱なＲＦ条件について選択される。よい良いＲＦ条件の場合、受信電力と、１又は複数の閾値とに基づいて第１のモード又は第２のモードが選択される。また別の実施形態では、モードは、ＲＦ条件、受信電力、及び復調数的指標に基づいて選択される。例えば、復調数的指標が満足されない場合、第１のモードが選択され、ＲＦ条件が未知であるが、受信電力が十分に高く、復調数的指標が満たされる場合、第２のモードが選択される。
【００１１】
本発明の様々な局面及び実施形態が、以下に更に詳細に記載される。
【００１２】
本発明の機能及び特性は、同一の参照符号が全体を通じて対応している図面と連携した場合、以下に述べる詳細記述からより明らかになるであろう。
【発明を実施するための最良の形態】
【００１３】
用語「典型的」（exemplary）は、本明細書では、「例、インスタンス、又は例示」として役立つことを意味するために使用される。本明細書で「典型的」（exemplary）と記載されたあらゆる実施形態又は設計は、他の実施形態又は設計に対して必ずしも好適又は有利であると解釈される必要はない。
【００１４】
本明細書に記載の技術は、Ｗ−ＣＤＭＡ等を実現する例えばｃｄｍａ２０００システムやＵＭＴＳシステムのような様々な通信システムのために使用されうる。明瞭さのため、これら技術は、以下において、１Ｘシステム及び１ｘＥＸ−ＤＯシステムについて具体的に説明される。
【００１５】
図１は、１ｘＥＶ−ＤＯシステムが１Ｘシステム上に存在する典型的な構成１００を示す。１Ｘシステムは、基地局の有効範囲領域内にある端末１３０のために音声サービス及びパケットデータサービスを提供する多くの基地局１１０を含む。同様に、１ｘＥＶ−ＤＯシステムは、これら基地局の有効範囲領域内にある端末１３０のためにパケットデータサービスを提供する多くの基地局１２０を含む。基地局１１０，１２０は、異なるサイトに位置するか、又は、同じサイトに共に位置しうる。基地局コントローラ（ＢＳＣ）１４２は、基地局１１０に接続しており、これら基地局のために調整及び制御を提供する。同様に、ＢＳＣ１４４は、基地局１２０に接続しており、これらの基地局のために調整及び制御を提供する。ＢＳＣ１４２，１４４は更に、１Ｘシステムと１ｘＥＶ−ＤＯシステムとの間の通信をサポートするコアネットワーク１４０に接続している。
【００１６】
一般に、基地局（１Ｘ用語）は、端末と通信する固定局であり、アクセスポイント（１ｘＥＶ−ＤＯ用語）、ノードＢ（ＵＭＴＳ用語）、基地トランシーバ局（ＢＴＳ）、又は、その他の幾つかの用語で称されうる。端末は固定式又は移動式であり、移動局（１Ｘ用語）、アクセス端末（１ｘＥＶ−ＤＯ用語）、ユーザ機器（ＵＭＴＳ用語）、又は、その他の幾つかの用語で称されうる。端末は、無線デバイス、セルラ電話、携帯情報端末（ＰＤＡ）、加入者ユニット、無線モデム等でありうる。本明細書における記載では、用語「基地局」は、固定局のために一般に使用され、用語「端末」は、固定局と通信する無線デバイスに使用される。ハイブリッド端末は、例えば１Ｘシステム及び１ｘＥＶ−ＤＯシステムと通信可能な端末である。
【００１７】
図１では、両端に矢印を持つ実線が、端末と基地局との間の通信を示す。片端に矢印を持つ破線は、基地局からのパイロット及び／又はシグナリング（例えば、ページ）の端末による受信を示す。端末は、所定の任意の瞬間において、順方向リンク及び／又は逆方向リンクで、１又は複数の基地局と通信する。順方向リンク（又はダウンリンク）は、基地局から端末への通信リンクを指し、逆方向リンク（又はアップリンク）は、端末から基地局への通信リンクを指す。
【００１８】
ハイブリッド端末は、１Ｘシステムに登録し、１Ｘシステム内の何れの基地局とも実際にデータを交換していない場合、アイドル状態で動作する。アイドル状態では、端末は、一般に、１Ｘシステムからの、端末に利用可能なメッセージのためのページングチャネル（ＰＣＨ）をモニタする。そのようなメッセージは、到来する呼び出しの存在に対して端末に警告するページメッセージと、端末のためにシステム情報及び他の情報を運ぶオーバヘッドメッセージとを含む。
【００１９】
ＩＳ−２０００及びＩＳ−９５では、ページングチャネルは、ＰＣＨスロットへ分割される。各ＰＣＨスロットは、８０ミリ秒（ｍｓ）の持続時間を持つ。端末は、ＴＳＣ秒からなる各スロットサイクルにおいて、１つのＰＣＨスロットが割り当てられる。ＴＳＣは、  
ＴＳＣ＝１．２８×２ＳＣＩ      式（１）  
のように与えられる。ここでＳＣＩは、端末に適用可能なスロットサイクルインデクスであり、端末と１Ｘシステムとの間でネゴシエートされる。ＳＣＩは、−４〜＋７の範囲をとることができ、スロットサイクルは、８０ｍｓ〜１６３．８４ｓの範囲をとることができる。各スロットサイクルは、１から１６×２ＳＣＩまでのインデクスが割り当てられるＰＣＨスロットを含む。端末は、国際モバイル加入者識別子（ＩＭＳＩ）、電子シリアルナンバ（ＥＳＮ）、又は、端末のためのその他の識別子によって決定される特定のＰＣＨスロットインデクスが割り当てられる。端末に対するＰＣＨスロットインデクスは固定され、そのスロットインデクスを持つ各ＰＣＨスロットは、割り当てられたページングスロットと称される。ページングスロット内の端末にメッセージが送られるので、端末は、各スロットサイクルにおいて、割り当てられたページングスロットを処理する。
【００２０】
図２は、１Ｘシステムにおいて端末によってページングチャネルを処理するスケジュールを示す。端末は、スロットモードにおいて動作する。スロットモードでは、（１）１Ｘシステムは、割り当てられたページングスロットにおいてのみ端末へメッセージを送り、（２）端末は、割り当てられたページングスロット中にのみ、メッセージを求めてページングチャネルをモニタする。端末は、各割り当てられたページングスロットについてページングチャネルを処理し、１Ｘシステムとの通信リンクを維持するために他の機能を実行する。割り当てられたページングスロットは、ＴＳＣ秒によって分けられる。
【００２１】
ＩＳ−２０００及びＩＳ−９５では、迅速ページングチャネル（ＱＰＣＨ：quick paging channel）が、メッセージがＰＣＨ上で送信されるかを示すインジケータを運ぶ。端末は、各割り当てられたページングスロット前の特定のインジケータにハッシュされる。端末は、一般に、ＱＰＣＨを処理し、割り当てられたインジケータを検出し、更に、端末のためにメッセージがＰＣＨで送られることを、割り当てられたインジケータが示す場合にのみＰＣＨを復調する。
【００２２】
ハイブリッド端末は、送受信用に使用される単一のアンテナ又は多数のアンテナを備えうる。
【００２３】
図３Ａは、単一のアンテナを備えた端末１３０ａの実施形態のブロック図を示す。送信部分については、デジタルプロセッサ３５０が、１Ｘシステム又は１ｘＥＶ−ＤＯシステムに送信される出力データを提供する。送信機３２０は、出力データを調整（例えば、アナログ変換、フィルタ、増幅、及び周波数アップコンバート）し、ＲＦ出力信号を生成する。ＲＦ出力信号は、デュプレクサ３１４によって経路付けられ、アンテナ３１２から送信される。
【００２４】
受信部分については、アンテナ３１２は、１Ｘシステム及び１ｘＥＶ−ＤＯシステム内の基地局によって送信されたＲＦ変調信号を受信し、送信されたＲＦ変調信号の異なるバージョンを含むＲＦ入力信号を提供する。ＲＦ入力信号は、デュプレクサ３１４によって経路付けられ、受信機３３０ａ及び３３０ｂの両方に供給される。受信機３３０ａは、プライマリ受信機として指定され、受信機３３０ｂは、セカンダリ受信機として指定される。受信機３３０はそれぞれ、当該ＲＦチャネルのためのＲＦ入力信号を処理し、ベースバンド信号を提供する。受信機３３０ａ，３３０ｂからのベースバンド信号は（例えば、プロセッサ３５０又は受信機３３０ａ，３３０ｂによって）デジタル化され、データサンプルが生成される。そして、プロセッサ３５０は、データサンプルを処理し、復号データを得る。プロセッサ３５０による処理は、受信されているシステム（例えば、１Ｘ又は１ｘＥＶ−ＤＯ）、受信されている送信タイプ（例えば、データ又はページング）、及び恐らくはその他の要因に依存する。
【００２５】
図３Ａに示す実施形態において、データプロセッサ３５２は、１ｘＥＶ−ＤＯシステムを用いて交換されるデータのための処理（例えば、符合化、変調、復号、復調等）を行う。ページングプロセッサ３５４は、１Ｘシステムからのページのための処理（例えば、復調及び復号）を行なう。各システムは、多数のＲＦチャネルを含む特定の帯域クラス（例えば、セルラ又はＰＣＳ）上で動作する。ここで、各チャネルは、１Ｘ及び１ｘＥＶ−ＤＯについて１．２３ＭＨｚからなる帯域幅を有する。信号検出器３５６は、当該各ＲＦチャネルのための受信電力を測定する。
【００２６】
図３Ｂは、多数のアンテナを備えた端末１３０ｂの実施形態のブロック図を示す。この実施形態では、端末１３０ｂは、２のアンテナ３１２ａ，３１２ｂを含んでいる。アンテナ３１２ａはプライマリアンテナとして指定され、デュプレクサ３１４に結合される。デュプレクサ３１４は更に、送信機３２０及び受信機３３０ａに結合している。アンテナ３１２ｂは、ダイバーシティアンテナとして指定され、受信機３３０ｂに結合される。実施形態では、アンテナ３１２ａ及び３１２ｂは、異なる設計で実現され、アンテナ３１２ａは、アンテナ３１２ｂよりも優れた性能（例えば、より高い利得）を有する。別の実施形態では、アンテナ３１２ａ及び３１２ｂは、同じ設計で実現され、同等の性能を有する。
【００２７】
図３Ａ及び図３Ｂに示す実施形態では、プライマリ受信機３３０ａは、適用可能なシステム要件を満足するように設計され、セカンダリ受信機３３０ｂは、低電力用に、それほど厳格ではない要件で設計されている。これらシステム要件は、感度、ダイナミックレンジ、線形性、帯域外拒否等をカバーしうる。実施形態では、プライマリ受信機３３０ａは、所定の任意の瞬間において、複数の線形状態（例えば、低線形状態、中線形状態、及び高線形状態）のうちの１つで動作することができる。低線形状態、中線形状態、及び高線形状態は、低電力消費、中電力消費、及び高電力消費それぞれにおいて、良好なＲＦ条件、ほどほどのＲＦ条件、及び劣悪なＲＦ条件のそれぞれについて、良好な性能を提供しうる。実施形態では、セカンダリ受信機３３０ｂは、常に低線形状態で動作するように設計されている。この実施形態については、受信機３３０ａが低線形状態で動作する場合、受信機３３０ａ及び３３０ｂは、同様の性能を有する。図３Ａ及び図３Ｂで示されない他の実施形態では、受信機３３０ａ及び３３０ｂの両方は、同様の設計を有し、同様の性能を達成する。例えば、両受信機ともに、システム要件を満足するように設計される。
【００２８】
図３Ａ及び図３Ｂで示される実施形態では、妨害検出器３４０が、ＲＦ入力信号内の妨害の存在を検出し、ＲＦ入力信号内に妨害が存在するか否かを示すステータス信号を提供する。妨害は、当該ＲＦチャネルの近傍であるが、当該ＲＦチャネルの外側にある大振幅の望まれない信号である。妨害検出器３４０は、プライマリ受信機３３０ａ内の、又は、セカンダリ受信機３３０ｂ内の、あるいはそれら両方の受信機内の妨害を検出する。制御ユニット３４２は、妨害検出器３４０からのステータス情報と、プロセッサ３５０からの関連情報とを受信し、受信機３３０ａ，３３０ｂのための制御信号を生成する。各制御信号は、関連する受信機３３０をイネーブル又はディセーブルする。実施形態では、プライマリ受信機３３０ａのための制御信号は更に、（１）良好なＲＦ条件（例えば、妨害が検出されず、受信電力が予め定めた閾値を越える場合）の場合、受信機３３０ａのために低線形状態を、そうでない場合、（２）別の線形状態を選択しうる。
【００２９】
端末１３０ａ，１３０ｂは、様々な方式で動作しうる。１つの構成では、所定の任意の瞬間に使用されるために、ＲＦ条件に依存して、受信機３３０ａ又は受信機３３０ｂかの何れかが選択される。別の構成では、受信機３３０ａ及び受信機３３０ｂの両方が同じ時間にアクティブになり、２つの異なるシステムのための信号を同時に処理する。端末１３０ｂに適用可能な別の構成では、受信機３３０ａと受信機３３０ｂとの両方が同時にアクティブになり、受信／空間ダイバーシティを達成するために、同じシステムのための２つのＲＦ入力信号を同時に処理する。
【００３０】
ハイブリッド端末は、異なる性能レベル又は非対称な受信経路を持つ多数の受信経路を含む。受信経路はそれぞれ、ＲＦ入力信号を受信し処理するために使用される様々な回路素子を含んでいる。図３Ａに示す実施形態では、プライマリ受信経路は、アンテナ３１２、デュプレクサ３１４、及び受信機３３０ａを含み、セカンダリ受信経路は、アンテナ３１２、デュプレクサ３１４、及び受信機３３０ｂを含む。図３Ｂに示す実施形態では、プライマリ受信経路は、アンテナ３１２ａ、デュプレクサ３１４、及び受信機３３０ａを含み、セカンダリ受信経路は、アンテナ３１２ｂ及び受信機３３０ｂを含んでいる。受信経路は、（例えば、図３Ｂに示すように）異なる利得を持つ異なるアンテナの使用、及び／又は、（例えば、図３Ａ及び図３Ｂに示すように）異なる設計及び性能特性を持つ異なる受信機の使用によって、異なる性能レベルを持つ。例えば、セカンダリ受信機３３０ｂの感度は、（１）より低いフリースペースアンテナ利得を有するアンテナの使用、（２）セカンダリ受信経路のための内部アンテナについてのボディローディング効果（body loading effects）、（３）低電流でバイアスされているセカンダリ受信機等によって、プライマリ受信機３３０ａの感度よりも悪いかもしれない。感度は、受信機が正確に復調することができる最低の信号レベルを指す。ボディローディング効果は、ユーザ（例えば、内部アンテナを覆っている手）によって覆われているアンテナによるＲＦ入力信号の減衰を指す。
【００３１】
ハイブリッド端末は、１ｘＥＶ−ＤＯシステムとのデータセッションを有し、着呼を検出するために、１Ｘシステムからページングチャネルを受信する。ハイブリッド端末は、２つのシステムからのデータ及びページングを受信するために、幾つかのモードのうちの１つで動作する。表１は、２つの典型的なモードと、各モードの短い説明をリストする。
【表１】
2008545295.tif 000003
【００３２】
表２は、ハイブリッドモード及び同時モードのため受信機３３０ａ及び受信機３３０ｂを操作する実施形態を示す。ハイブリッドモードでは、プライマリ受信機３３０ａは、割り当てられたページングスロットの間は１Ｘシステムに調節され、他の時には１ｘＥＶ−ＤＯシステムに調節される。セカンダリ受信機３３０ｂは、受信ダイバーシティを提供するために、常に１ｘＥＶ−ＤＯシステムに調節される。同時モードでは、プライマリ受信機３３０ａは、常に１ｘＥＶ−ＤＯシステムに調節される。セカンダリ受信機３３０ｂは、割り当てられたページングスロットの間は１Ｘシステムに調節され、他の時には１ｘＥＶ−ＤＯシステムに調節される。
【表２】
2008545295.tif 000004
【００３３】
表２は、２つの受信機を動作させる具体的な実施形態を示す。これら受信機は、他の方式でも動作しうる。更に、受信機の動作は、逆方向リンクの性能にインパクトを与えうる。例えば、送信機３２０は、ハイブリッドモードではプライマリ受信機３３０ａに関連付けられ、両者は、所定の任意の瞬間において同じシステムに向けられているかもしれない。この場合、プライマリ受信機が１ｘＥＶ−ＤＯから１Ｘに調節された時、順方向リンクで１ｘＥＶ−ＤＯデータを受信できないことに加えて、端末は、逆方向リンクで１ｘＥＶ−ＤＯデータを送信することもできない。表２に示すように定義された同時モードでは、送信機のみならずプライマリ受信機も常に１ｘＥＶ−ＤＯに調節されるので、上述した短所はなくなる。従って、同時モードは、幾つかのシナリオにおいて、１ｘＥＶ−ＤＯ順方向リンクトラフィック性能よりも、１ｘＥＶ−ＤＯ逆方向リンクトラフィック性能に対してより顕著にインパクトを持つ。
【００３４】
１ｘＥＶ−ＤＯシステムのための良好なデータ性能と、１Ｘシステムのための良好なページング性能とを達成することが望ましい。データ性能は、一般に、ハイブリッドモードよりも同時モードにおいてより良好である。なぜなら、プライマリ受信機３３０ａは、常に、１ｘＥＶ−ＤＯシステムからのデータを受信するために使用されるからである。しかしながら、常に同時モードで動作する場合、ページング性能が低下する（例えば、ページのためのメッセージ誤り率（ＭＥＲ）が増加する）かもしれない。なぜなら、セカンダリ受信機３３０ｂは、良好なＲＦ条件の下では良好なページング性能を提供するかもしれないが、劣悪なＲＦ条件の下では低下したページング性能を提供するかもしれないからである。この性能低下は、セカンダリ受信機３３０ｂがプライマリ受信機３３０ａよりも低い感度を持つことと、プライマリアンテナ３１２ａよりも低い利得を持つダイバーシティアンテナ３１２ｂに接続されていることによる。劣悪な条件の下では、ハイブリッドモードに切り換えて、割り当てられたページングスロットの間、プライマリ受信機３３０ａを用いて、ページングチャネルを受信することによって、改善されたページング性能を達成することができる。
【００３５】
一般に、可能な場合には常に同時モードで動作し、良好なページング性能の保証が必要な場合にハイブリッドモードに切り換えることが望ましい。目的は、１Ｘシステムのためのページング性能に悪影響を及ぼさずに、１ｘＥＶ−ＤＯシステムのためのスループットを最大にすることである。同時モードは、受信機３３０ａと受信機３３０ｂとが、同様のページング性能を達成することができる時間間隔中に選択されうる。そうでない場合、ハイブリッドモードが選択されうる。
【００３６】
ハイブリッドモード又は同時モードの何れかを選択するかの判定は、様々な基準に基づいてなされうる。表３は、幾つかの判定基準と、各判定基準の短い説明とをリストしている。
【表３】
2008545295.tif 000005
【００３７】
ＲＦ条件は、ＲＦ入力信号中のスペクトル全体をカバーする。この信号は、当該ＲＦチャネルのための所望の信号と、帯域外である所望されない信号との両方を含む。以下に述べる実施形態では、ＲＦ条件は、「貧弱」又は「良好」として定量化される。貧弱なＲＦ条件は、ＲＦ入力信号における妨害の存在、弱い所望の信号レベル、その他の幾つかの条件、又はこれらの組み合わせによってもたらされうる。例えば、貧弱なＲＦ条件は、（１）妨害レベルがＴＨ１閾値を越えた場合、（２）妨害レベルがＴＨ２閾値を越え、かつ、所望の信号レベルがＴＨ３閾値を下回る場合に宣言される。ただし、ＴＨ２＜ＴＨ１である。閾値は、プライマリ受信経路及び／又はセカンダリ受信経路の性能、所望のページング性能等に基づいて選択される。
【００３８】
図３Ａ及び図３Ｂに示す実施形態において、妨害検出器３４０は、受信機３３０ａ，３３０ｂの各々によって観察されるＲＦ条件を確認することができる。他の実施形態については、妨害検出器３４０は、セカンダリ受信機３３０ｂではなくプライマリ受信機３３０ａによって観察されるＲＦ条件を確認することができる。他の実施形態については、セカンダリ受信機３３０ｂによって観察されるＲＦ条件は、（１）受信機３３０ａと受信機３３０ｂとの両方が同じ帯域クラスで動作している場合に、プライマリ受信機３３０ａによって観察されるＲＦ条件と同じであるか、又は、（２）受信機３３０ａと受信機３３０ｂとが異なる帯域クラスで動作しているかが分からないと仮定されうる。
【００３９】
プライマリ受信機３３０ａによって観察されるＲＦ条件が判定され、線形状態のうちの１つをプライマリ受信機３３０ａのために選択するために使用される。従って、貧弱なＲＦ条件は、高い線形状態で動作する受信機３３０ａによって示されうる。異なるＲＦ条件で異なる線形状態になるとはいえ、プライマリ受信機３３０ａは、全てのＲＦ条件のために良好なページング性能を与えうる。セカンダリ受信機３３０ｂは、良好なＲＦ条件に対して良好なページング性能を提供し、貧弱なＲＦ条件に対して貧弱なページング性能を提供する。
【００４０】
所望の信号条件は、帯域内の所望の信号をカバーする。これは、ＲＦ条件の一部である。１Ｘシステムのための所望の信号条件は、例えば、所望のＲＦチャネルに対する受信電力全体（Ｉｏ）、１Ｘシステムにおけるページングチャネルに対するビット毎エネルギ対全体雑音比（Ｅｂ／Ｎｔ）、１Ｘシステムにおけるパイロットチャネルに対するチップ毎エネルギ対受信電力比（Ｅｃｐ／Ｉｏ）等のような様々な数的指標によって定量化される。端末における合計受信電力（Ｉｏ）は、  
Ｉｏ＝Ｉｏｃ＋Ｉｏｒ＋Ｎｏ      式（２）  
のように表される。ここでＩｏｒは、所望の基地局の受信電力であり、Ｉｏｃは、その他の基地局の受信電力であり、Ｎｏは、端末における熱雑音である。
【００４１】
一般に、Ｎｏは固定値である。式（２）は、オープンな空間又は視線における実際の伝搬損失を考慮する。高い位置の場合、端末は、サービス提供基地局に接近しており、Ｉｏｒ／Ｉｏｃは高い（例えば４ｄＢ以上）。低い位置の場合、端末は、２又はそれ以上のセルの境界上にある。従って、Ｉｏｃ（他のセル干渉）は（サービス提供セルの）Ｉｏｒに比べて高く、Ｉｏｒ／Ｉｏｃは低い（例えば０ｄＢ）。
【００４２】
Ｉｏｃ、Ｉｏｒ、Ｅｃｐ、及びＥｂは、端末と所望の基地局との間の経路喪失により、端末において同量減衰する。端末が移動して基地局から更に離れると、経路喪失が増加し、Ｉｏ、Ｉｏｃ、Ｉｏｒ、Ｅｃｐ及びＥｂは減少するが、Ｅｃｐ／Ｉｏ及びＥｂ／Ｎｔは、Ｉｏ＞＞Ｎｏである限りは、ほぼ一定のままである。経路喪失が十分多い場合、Ｎｏは、Ｉｏｃ及びＩｏｒに匹敵するようになる。この時点から、経路喪失が増加すると、Ｉｏがほとんど一定を保ち、Ｅｃｐ／Ｉｏ及びＥｂ／Ｎｔは、経路喪失の増加に対して線形的に減少する。Ｉｏが低すぎる場合、Ｅｂ／Ｎｔが低すぎると、ページングチャネルを高い信頼性で受信することができず、Ｅｃｐ／Ｉｏが低すぎると、ページングチャネルを高い信頼性で獲得することができない。従って、特にＥｃｐ／Ｉｏ及びＥｂ／Ｎｔが利用可能ではない場合、Ｉｏは、所望の信号条件を定量化するための数的指標として使用されうる。更に、他の測定値が利用可能ではない場合、ＲＦ条件のための数的指標としてＩｏも使用されうる。例えば、ＩｏがＴｈ＿ｌｏｗ閾値未満である場合、貧弱なＲＦ条件が宣言され、ＩｏがＴｈ＿ｈｉｇｈ閾値を越える場合、良好なＲＦ条件が宣言される。
【００４３】
１Ｘシステムのための受信電力（Ｉｏ）の測定は、各割り当てられたページングスロット中になされうる。Ｉｏ測定値は、雑音が多いかもしれず、例えば有限インパルス応答（ＦＩＲ）フィルタ又は無限インパルス応答（ＩＩＲ）フィルタを用いてフィルタされるかもしれない。例えば、Ｎ個の直近に割り当てられたページングスロットのためのＮ個のＩｏ測定値がフィルタ（例えば平均化）され、現在割り当てられているページングスロットのフィルタされたＩｏが得られる。一般に、フィルタされたＩｏ又はフィルタされていないＩｏが、１Ｘシステムの受信電力として使用される。
【００４４】
復調性能は、ＰＣＨ及び／又はＱＰＣＨに対する様々な数的指標によって定量化されうる。端末は、各割り当てられたページングスロット内のＱＰＣＨを処理し、ＱＰＣＨ内の割り当てられたインジケータに依存して、ＰＣＨを処理するかもしれないし、しないかもしれない。ＱＰＣＨについては、Ｅｃｐ／Ｉｏのような復調数的指標が、モード選択のために使用されうる。Ｅｃｐ／Ｉｏは、フィルタされたパイロットのそれ自身との、１つのＱＰＣＨビットの持続期間にわたるドット積として推定されうる。このドット積は、幾つかのＱＰＣＨビットにわたってフィルタされ、雑音が低減され、Ｅｃｐ／Ｉｏの推定値が改善される。ＰＣＨについて、例えばＥｂ／Ｎｔ、フレームエネルギ、シンボル誤り率、巡回冗長検査（ＣＲＣ）等のような復調数的指標が、モード選択のために使用される。フレームエネルギは、ＰＣＨで受信されたフレームにわたって収集されたエネルギである。シンボル誤り率は、フレーム内のシンボルの総数で除されたフレーム内のシンボル誤り数と等しい。シンボル誤りは、フレームのための受信シンボルを復号し、復号されたフレームを再符号化し、再符号化したシンボルを、受信シンボルと比較することによって判定される。フレームがＣＲＣチェックをパスしないと、ＣＲＣ失敗が宣言される。一般に、復調数的指標のうちの何れか１つ又はいかなる組み合わせも、モード選択のために使用することができる。復調数的指標はまた、これら数的指標の信頼性を改善するために、時間にわたってフィルタされうる。フィルタリングは、１Ｘシステムのページング性能と、１ｘＥＶ−ＤＯシステムのデータ性能との間のトレードオフに基づいて選択される。
【００４５】
ＱＰＣＨモニタリングが基地局側でイネーブルされる場合、チャネル推定器が、このモニタリングを行うことを許可すると、端末は、ＱＰＣＨをモニタする。１Ｘチャネルが劣悪であり、端末が（１Ｘ上のセカンダリ受信機との）同時モードで動作しているとチャネル推定器が示すのであれば、端末は、ハイブリッドモードに切り換わるべきである。
【００４６】
図４は、１Ｘシステムのために、受信電力（Ｉｏ）に基づいてモードを選択するための典型的な状態図４００を示す。端末は、システムにアクセスした後にシングルモード４１０で開始する。シングルモード４１０では、端末は、受信機３３０ａ及び／又は受信機３３０ｂを用いて、１Ｘシステム又は１ｘＥＶ−ＤＯシステムでありうる１つのシステムから受信する。例えば、１ｘＥＶ−ＤＯシステムからデータを受信し、１Ｘシステムからページングするなどして２つのシステムにアクセスすると、端末は、シングルモード４１０から（図４に示すように）ハイブリッドモード４２０へ、又は、（図４に示さないように）同時モード４３０へ遷移する。
【００４７】
図４に示す実施形態では、１Ｘシステムの受信電力がＴｈ＿ｈｉｇｈ閾値以下である場合、端末は、ハイブリッドモード４２０にとどまる。１Ｘシステムの受信電力がＴｈ＿ｈｉｇｈ閾値を越えると、端末は、ハイブリッドモード４２０から同時モード４３０に遷移する。１Ｘシステムの受信電力がＴｈ＿ｌｏｗ閾値を越えると、端末は、同時モード４３０にとどまる。１Ｘシステムの受信電力がＴｈ＿ｌｏｗ閾値以下である場合、端末は、同時モード４３０からハイブリッドモード４２０へ推移する。
【００４８】
Ｔｈ＿ｈｉｇｈ閾値及びＴｈ＿ｌｏｗ閾値は、受信機３３０ａ，３３０ｂの設計及び性能、アンテナ３１２ａ，３１２ｂの利得、１Ｘシステムの所望のページング性能、及び／又はその他の要因に基づいて選択されうる。実施形態では、Ｔｈ＿ｈｉｇｈは、ヒステリシスを提供するためにＴｈ＿ｌｏｗよりも高い。例えば、Ｔｈ＿ｈｉｇｈは−８５ｄＢｍに設定され、Ｔｈ＿ｌｏｗは−９５ｄＢｍに設定され、２つの閾値の差は１０ｄＢｍかもしれない。ヒステリシスは、１Ｘシステムのための受信電力測定におけるランダムな変動によりハイブリッドモードと同時モードとの間で端末が絶えず切り換わるのを防ぐ。この変動は、雑音及び／又は測定不確実性に起因するかもしれない。
【００４９】
図４に示す実施形態では、セカンダリ受信機３３０ｂは、１Ｘシステムの受信電力が十分に高い場合に、１Ｘシステムからのページングを受信するために使用される。このシナリオの下では、受信機３３０ａ，３３０ｂは、同等のページング性能を提供し、プライマリ受信機３３０ａが、１ｘＥＶ−ＤＯシステムの順方向リンクと逆方向リンクとの両方について良好なデータ性能を達成するために使用されるように、同時モードが選択される。プライマリ受信機３３０ａは、１Ｘシステムの受信電力が十分に高くない場合に、１Ｘシステムからのページングを受信するために使用される。このシナリオの下では、プライマリ受信機３３０ａが、１Ｘシステムのための良好なページング性能を提供するために使用されるように、ハイブリッドモードが選択される。
【００５０】
図５は、１ＸシステムのＲＦ条件及び受信電力（Ｉｏ）に基づいてモードを選択するための典型的な状態図４０２を示す。状態図４０２は、図４について説明した３つのモード４１０，４２０，４３０を全て含んでいる。明瞭さのため、論理演算は、大文字化された例えばＯＲやＡＮＤのような用語で示される。
【００５１】
図５に示す実施形態では、１ＸシステムのＲＦ条件が貧弱な場合、又は、１Ｘシステムの受信電力がＴｈ＿ｈｉｇｈ閾値以下である場合に、端末はハイブリッドモード４２０にとどまる。また、１ＸシステムのＲＦ条件が良好であり、かつ、１Ｘシステムの受信電力がＴｈ＿ｈｉｇｈ閾値を越える場合に、端末はハイブリッドモード４２０から同時モード４３０に遷移する。また、１ＸシステムのＲＦ条件が良好のままであり、かつ、１Ｘシステムの受信電力がＴｈ＿ｌｏｗ閾値を越える場合に、端末は同時モード４３０にとどまる。更に、１ＸシステムのＲＦ条件が貧弱であるか、又は、１Ｘシステムの受信電力がＴｈ＿ｌｏｗ閾値以下である場合、端末は、同時モード４３０からハイブリッドモード４２０へ遷移する。
【００５２】
図５に示す実施形態の場合、ＲＦ条件が貧弱である場合、端末は、ハイブリッドモード４２０で動作する。ＲＦ条件が良好な場合、１Ｘシステムの受信電力と、Ｔｈ＿ｈｉｇｈ閾値及びＴｈ＿ｌｏｗ閾値とに基づいて、端末は、ハイブリッドモード４２０と同時モード４３０との間で切り換わる。
【００５３】
図５に示す実施形態では、１ＸシステムのＲＦ条件が良好であり、かつ、１Ｘシステムの受信電力が十分に高い場合、１Ｘシステムからページングを受信するためにセカンダリ受信機３３０ｂが使用される。このシナリオの下では、受信機３３０ａ，３３０ｂは、同等のページング性能を提供し、プライマリ受信機３３０ａが、１ｘＥＶ−ＤＯシステムの順方向リンクと逆方向リンクとの両方について良好なデータ性能を達成するために使用されるように、同時モードが選択される。１Ｘシステムの受信電力が貧弱であるか、又は、１Ｘシステムの受信電力が十分に高くないのであれば、１Ｘシステムからのページングを受信するためにプライマリ受信機３３０ａが使用される。このシナリオの下では、プライマリ受信機３３０ａが、１Ｘシステムのための良好なページング性能を提供するために使用されるように、ハイブリッドモードが選択される。
【００５４】
１ＸシステムのＲＦ条件は、例えば図３Ａ及び図３Ｂにおける妨害検出器３４０を用いることによって、１Ｘシステムに調節された受信機に基づいて確認されうる。幾つかの実施形態では、妨害検出器３４０は、プライマリ受信機３３０ａによって観察されたＲＦ条件を単に確認する。これらの実施形態については、１ＸシステムのＲＦ条件と、１ｘＥＶ−ＤＯシステムのＲＦ条件とは、（１）両システムが同じ帯域クラスにある場合に同等と仮定され、（２）プライマリ受信機３３０ａによって観察されたＲＦ条件を測定することにより確認される。これら２つのシステムが異なる帯域クラスにあるのであれば、プライマリ受信機３３０ａが１Ｘシステムに調節している場合、１ＸシステムのＲＦ条件が確認されうる。ハイブリッドモードでは、プライマリ受信機３３０ａは両方のシステムのために使用され、１ＸシステムのＲＦ条件は、割り当てられたページングスロットの間に確認されうる。同時モードでは、プライマリ受信機３３０ａは１ｘＥＶ−ＤＯシステムのために使用され、１ＸシステムのＲＦ条件は、例えばＴｍ秒毎に、プライマリ受信機３３０ａを１Ｘシステムに定期的に切り換えることによって確認されうる。ここで、Ｔｍは、固定値又は設定可能値である。
【００５５】
図６は、１ＸシステムのＲＦ条件、受信電力（Ｉｏ）、及び復調数的指標に基づくモード選択のための典型的な状態図４０４を示す。状態図４０４は、図４について記述されたモード４１０，４２０及び４３０を含んでいる。
【００５６】
図に示す実施形態では、（１）最後のＴ１秒内に１Ｘ復調失敗に遭遇した場合、又は、（２）１ＸシステムのＲＦ条件が貧弱である場合、又は、（３）１Ｘシステムの受信電力が、Ｔｈ＿ｈｉｇｈ閾値以下である場合、端末は、ハイブリッドモード４２０にとどまる。例えば、Ｅｂ／ＮｔがＥｂ／Ｎｔ閾値未満である場合、フレームエネルギがエネルギ閾値未満である場合、シンボル誤り率がＳＥＲ閾値を越える場合、ＣＲＣが失敗した場合等に１Ｘ復調失敗が宣言されうる。Ｔ１は、１又は複数の割り当てられたページングスロットにまたがるかもしれず、良好なページング性能を達成するために選択されうる。
【００５７】
（１）最後のＴ１秒において１Ｘ復調失敗に遭遇せず、かつ、（２）１ＸシステムのＲＦ条件が良好であり、かつ、（３）１Ｘシステムの受信電力がＴｈ＿ｈｉｇｈ閾値を越える場合、端末は、ハイブリッドモード４２０から同時モード４３０へ遷移する。（１）１ＸシステムのＲＦ条件が不明であり、かつ、（２）最後の割り当てられたページングスロットにおいて、１Ｘ復調失敗に遭遇せず、かつ、（３）１Ｘシステムの受信電力が、Ｔｈ＿ｌｏｗ閾値を越える場合、端末は、同時モード４３０にとどまる。また、１ＸシステムのＲＦ条件が良好であり、かつ、１Ｘシステムの受信電力がＴｈ＿ｌｏｗ閾値を越える場合、端末は、同時モード４３０にとどまる。（１）最後に割り当てられたページングスロット中で１Ｘ復調失敗に遭遇した場合、又は、（２）１ＸシステムのＲＦ条件が貧弱である場合、又は、（３）１Ｘシステムの受信電力が、Ｔｈ＿ｌｏｗ閾値以下である場合、端末は、同時モード４３０からハイブリッドモード４２０へ遷移する。
【００５８】
図６に示す実施形態では、最後のＴ１秒内で１Ｘ復調失敗に遭遇した場合、端末は、ハイブリッドモード４２０にとどまる。この判定基準は、ある操作環境の下で、ページング性能を改善するかもしれない。例えば、１ＸシステムのＲＦ条件が良好であり、１Ｘシステムの受信電力が高いが、ページング性能は貧弱かもしれない。この貧弱な性能は、パイロット汚染による高い受信電力に起因するかもしれない。パイロット汚染とは、他の基地局の受信電力（Ｉｏｃ）が、所望の基地局の受信電力（Ｉｏｒ）よりはるかに大きい状態である。そのような動作環境では、ハイブリッドモード４２０にとどまることが、ページング性能を改善するかもしれない。Ｔ１は固定値又は設定可能値でありうる。
【００５９】
図４乃至図６は、ＲＦ条件、受信電力、及び復調数的指標に基づくモード選択のための３つの実施形態を示す。モード選択はまた、他の判定基準、及び／又は他の方法に基づいて実行されうる。例えば、ハイブリッドモードが、貧弱なＲＦ条件の場合に選択され、同時モードが、良好なＲＦ条件の場合に選択されるかもしれない。２つのモードのトグリングを阻止するために、ヒステリシスを用いてＲＦ条件が定量化されうる。
【００６０】
図４乃至図６に示す実施形態では、モード選択は、１Ｘシステムのための判定基準のみに基づいて行われる。他の実施形態では、モード選択は、１Ｘシステムと１ｘＥＶ−ＤＯシステムとの両方の判定基準に基づいて、あるいは、１ｘＥＶ−ＤＯシステムの判定基準のみに基づいて行われうる。両システムに適用可能な判定基準は、ブロードキャスト対通常の２方式トラフィックのようなサービスタイプを含みうる。１ｘＥＶ−ＤＯシステムの判定基準は、１ｘＥＶ−ＤＯシステムのＲＦ条件（例えば、受信ダイバーシティが１ｘＥＶ−ＤＯのために要求されているか、セカンダリ受信機がオフされたか）、受信電力、データレート、データ性能、データとページングの相対的重要度等を含みうる。例えば、受信機３３０ａと受信機３３０ｂとが、低データレートにおいて同等の１ｘＥＶ−ＤＯデータ性能を提供するのであれば、１Ｘシステムの判定基準に関係なく、低データレートにおいてハイブリッドモードが選択される。
【００６１】
図４乃至図６に示す実施形態では、切換判定基準が満足される場合、端末は、ハイブリッドモードと同時モードとの間で切り換わる。別の実施形態では、同時モードからハイブリッドモードへ切り換わった後、端末は、時間ヒステリシスを与えるために、少なくともＴ２秒間、ハイブリッドモードにとどまる。Ｔ２は、固定値又は設定可能値であり、良好なページング性能を提供するために選択される。例えば、動作環境が悪化し、同時モードからハイブリッドモードへの切換を引き起こし、端末は、この切換時又は切換直前のページを見逃すかもしれない。Ｔ２は、端末へ送られた次のページをカバーするように選択されうる。
【００６２】
実施形態では、ハイブリッドモードから同時モードへ切り換える決定がなされた後、１Ｘシステムからのパイロットの探索が、セカンダリ受信機３３０ｂを用いてなされる。このパイロット探索は、次に割り当てられたページングスロットにおいて、端末がハンドオフされる１Ｘ基地局を含む再獲得リストを構築するために使用されうる。この再獲得リストは、１ｘＥＶ−ＤＯシステムから１Ｘシステムへのハンドオフである１Ｘハンドダウンの性能を改善することができる。
【００６３】
図７は、２つのシステムから受信する端末によって行なわれる処理７００を示す。第１のシステム（例えば、１Ｘシステム）のＲＦ条件は、例えば、（１）第１のシステムのＲＦ測定値に基づいて、あるいは、（２）第１及び第２のシステムが同じ周波数帯域にあるのであれば、第２のシステム（例えば、１ｘＥＶ−ＤＯシステム）のために判定されたＲＦ条件に基づいて判定される（ブロック７１２）。第１のシステムの受信電力もまた判定されうる（ブロック７１４）。第１のシステムのための１又は複数の復調数的指標も確認されうる（ブロック７１６）。そして、第１の／プライマリ受信機と、第２の／セカンダリ受信機との動作が、第１のシステムのＲＦ条件、受信電力、及び／又は復調数的指標に基づいて制御される（ブロック７２０）。
【００６４】
第１の受信機は、第２の受信機よりも良好な性能が関連付けられうる。第１の受信機と第２の受信機との両方は、両システムのための良好な性能を達成するために、第１のシステムと第２のシステムとを受信するために使用される。第１の／ハイブリッドモードでは、第１の受信機が、第１のシステムと第２のシステムとの両方に使用される。第２の／同時モードでは、第２の受信機が、第１のシステムのために使用され、第１のシステムのために使用されない場合には、第２のシステムのためにも使用されうる。
【００６５】
実施形態では、第１の受信機と第２の受信機との動作が、例えば図４に示すように、第１のシステムの受信電力に基づいて制御される。この実施形態では、低受信電力に対して第１のモードが選択され、高受信電力に対して第２のモードが選択される。別の実施形態では、第１の受信機と第２の受信機との動作が、例えば図５に示すように、第１のシステムのＲＦ条件及び受信電力に基づいて制御される。この実施形態では、第１のモードは、貧弱なＲＦ条件に対して選択される（ブロック７２２）。良好なＲＦ条件では、第１のモード又は第２のモードが、例えば、１又は複数の閾値を用いて、第１のシステムの受信電力に基づいて選択されうる。また別の実施形態では、第１の受信機と第２の受信機との動作が、例えば図６に示すように、第１のシステムのＲＦ条件、受信電力、及び復調数的指標に基づいて制御される。この実施形態では、復調数的指標が満足されない場合、第１のモードが選択される（ブロック７２６）。また、ＲＦ条件が不明であり、受信電力が十分高く、復調数的指標が満たされる場合、第２のモードが選択される（ブロック７２８）。第１の受信機と第２の受信機との動作はまた、他の方法でも制御されうる。
【００６６】
上述した実施形態では、全ての動作環境において良好なページング性能が達成されるように受信機が制御される。モード選択は、１Ｘシステム及び／又は１ｘＥＶ−ＤＯシステムについて判定される様々な判定基準（例えば、ＲＦ条件、受信電力、及び復調数的指標）に基づいてなされうる。
【００６７】
明瞭さのため、図３Ａ及び図３Ｂにおいて、妨害検出器３４０と制御ユニット３４２は、個別のユニットとして示される。妨害検出器３４０及び制御ユニット３４２はまた、プロセッサ３５０又はコントローラ３６０内に実装されうる。制御ユニット３４２は、図４の状態図４００、図５の状態図４０２、図６の状態図４０４、及び／又は図７の処理７００を実施しうる。
【００６８】
本明細書に記述した技術は、様々な手段によって実施されうる。例えば、これら技術は、ハードウェア、ファームウェア、ソフトウェア、又はこれらの組合せで実施されうる。ハードウェアによる実施では、モード選択を行なうために使用される処理ユニットは、１又は複数の特定用途向けＩＣ（ＡＳＩＣ）、デジタルシグナルプロセッサ（ＤＳＰ）、デジタル信号処理デバイス（ＤＳＰＤ）、プログラム可能論理回路（ＰＬＤ）、フィールドプログラム可能なゲートアレー（ＦＰＧＡ）、プロセッサ、コントローラ、マイクロコントローラ、マイクロプロセッサ、電子デバイス、本明細書に記載の機能を実行するために設計されたその他の電子ユニット、又はこれらの組合せ内で実施されうる。
【００６９】
ファームウェア及び／又はソフトウェアによる実施では、これら技術は、本明細書に記載の機能を実施するモジュール（例えば、手順、機能等）を用いて実施される。ソフトウェアコードは、メモリ（例えば、図３Ａ及び図３Ｂにおけるメモリ３６２）に格納され、プロセッサ（例えば、プロセッサ３５０又はコントローラ３６０）によって実行されうる。メモリは、プロセッサ内に実装されるか、あるいはプロセッサの外部に実装されうる。
【００７０】
開示された実施形態の前述した説明は、いかなる当業者であっても、本発明を活用又は利用できるように提供される。これら実施形態に対する様々な変形は、当業者に対して容易に明らかであって、本明細書で定義された一般原理は、本発明の精神又は範囲から逸脱することなく他の実施形態に適用されうる。従って、本発明は、本明細書に示された実施形態に限定されることは意図されておらず、本明細書で開示した原理及び斬新な特徴に一致する最も広い範囲が与えられる。
【図面の簡単な説明】
【００７１】
【図１】図１は、１ｘＥＶ−ＤＯシステム及び１Ｘシステムを示す。
【図２】図２は、１Ｘシステムにおけるページングチャネルの処理のためのスケジュールを示す。
【図３Ａ】図３Ａは、単一のアンテナ端末のブロック図を示す。
【図３Ｂ】図３Ｂは、マルチアンテナ端末のブロック図を示す。
【図４】図４は、受信電力に基づいてモードを選択するための状態ブロック図を示す。
【図５】図５は、ＲＦ条件及び受信電力に基づいてモードを選択するための状態ブロック図を示す。
【図６】図６は、ＲＦ条件、受信電力、及び復調数的指標に基づいてモードを選択するための状態ブロック図を示す。
【図７】図７は、２つのシステムからのページング及びデータの受信のための処理を示す。
【図１】
2008545295.tif 000006
【図２】
2008545295.tif 000007
【図３Ａ】
2008545295.tif 000008
【図３Ｂ】
2008545295.tif 000009
【図４】
2008545295.tif 000010
【図５】
2008545295.tif 000011
【図６】
2008545295.tif 000012
【図７】
2008545295.tif 000013
【国際調査報告】
2008545295.tif 000014